(57)【要約】【課題】きめ細やかな泡を泡立てることができ、泡立てた泡のしぼり取りを容易とすることで、使い勝手がよい泡立てネットおよびその製造方法を提供する。【解決手段】泡立てネット１は、長尺状の多層ネットによるネットシート材により略三角形状に形成され、石鹸を泡立てて、顔や体を洗う際に使用するものである。泡立てネット１は、内部に石鹸を入れるための収納空間２ａが設けられ、開口の縁部に折り返しによる挿入部２ｂが設けられたポケット部２と、ポケット２の開口の縁部であって、挿入部２ｂが形成された縁部の残余が矩形状に延設された泡立て部３と、ポケット部２の一端側にリング状の紐体（リング紐）が設けられた吊り下げ部４とを備えている。【選択図】図１
2011019840.tif 000002
【特許請求の範囲】
【請求項１】
ネットシート材により形成され、石鹸を泡立てる泡立てネットにおいて、
前記石鹸の収納空間が設けられ、前記石鹸を出し入れする開口が形成されたポケット部と、
前記開口の縁部から一部が延設され、前記ポケット部に収納された石鹸側に折り返して擦り合わせて泡立てる泡立て部とを備えたことを特徴とする泡立てネット。
【請求項２】
前記ポケット部には、前記泡立て部が延設された前記開口の縁部の残余に折り返しによる挿入部が設けられている請求項１記載の泡立てネット。
【請求項３】
前記ポケット部の端部には、吊り下げ部が設けられている請求項１または２記載の泡立てネット。
【請求項４】
長尺状のネットシート材の一端を一面側に折り返し、
前記ネットシート材の他端を、少なくとも一面側での折り返しと重なりができるまで他面側に折り返し、
前記一面側での折り返し部分と前記一面側での折り返しと重なる前記他面側での折り返し部分とを溶着し、
前記一面側での折り返し部分を表裏反転させることを特徴とする泡立てネットの製造方法。
【発明の詳細な説明】
【技術分野】
【０００１】
本発明は、固形石鹸を中に入れて擦り合わせることできめ細やかな泡立ちが得られる泡立てネットおよびその製造方法に関するものである。
【背景技術】
【０００２】
固形石鹸を入れ、両手で擦り泡立てることで、弾力性のあるきめ細やかな泡が得られる泡立てネットが知られている。例えば、特許文献１には、二重ネットが折り曲げられ、端部が纏められて二重ネットの両側が石鹸の出し入れが可能に開いた状態に形成され、端部には二重ネットを保持するための保持具が設けられている固形石鹸用泡立てネットが記載されている。
【０００３】
また、特許文献２には、伸縮性を有する積層ネットが両端部を揃えるように折り曲げられていると共に、纏められ折り曲げられた積層ネットの側縁に閉鎖部を形成し、閉鎖部以外の部分に固形石鹸の出し入れ可能に開いた状態の固形石鹸出し入れ口が形成された固形石鹸用泡立てネットが記載されている。
【先行技術文献】
【特許文献】
【０００４】
【特許文献１】特開２００６−５１０４９号公報
【特許文献２】特開２００８−８６５６４号公報
【発明の概要】
【発明が解決しようとする課題】
【０００５】
例えば、特許文献１，２の泡立てネットを使用して洗顔をするときには、二つ折りして両端部同士を纏めることで三角形状となった泡立てネットの中の石鹸を、両手で擦り泡立てる。そして、両端部を纏めた一端側を片手で持ち、反対の手で一端側から他端側へ、泡立てネットから泡立てた泡をしぼり取るようにして取り出す。そして、泡を顔につけ広げる。
特許文献１，２の泡立てネットでは、泡立てた泡をしぼり取る際に、泡立てネットを力強く握り、一端側から他端側へ握った手を徐々にずらしながら移動させると、石鹸が泡立てネットの他端部側に偏ってしまい、最後の段階で握った手が石鹸部分を通過すると、泡立てネットの他端部も一気に通過し、勢い余って泡立てネットから外れてしまうので、泡をしぼり取りにくい。
【０００６】
そこで本発明は、きめ細やかな泡を泡立てることができ、泡立てた泡のしぼり取りを容易とすることで、使い勝手がよい泡立てネットおよびその製造方法を提供することを目的とする。
【課題を解決するための手段】
【０００７】
本発明の泡立てネットは、ネットシート材により形成され、石鹸を泡立てる泡立てネットにおいて、前記石鹸の収納空間が設けられ、前記石鹸を出し入れする開口が形成されたポケット部と、前記開口の縁部から一部が延設され、前記ポケット部に収納された石鹸側に折り返して擦り合わせて泡立てる泡立て部とを備えたことを特徴とする。
本発明の泡立てネットは、ポケット部と泡立て部とを備えたものである。石鹸を泡立てるときには、ポケット部の収納空間に収納して、泡立て部を石鹸側に折り返して曲げ、ポケット部に擦りつける。そして泡を取るときには、泡立て部を伸ばした状態で、ポケット部を片手で持ち、泡立て部を握ってポケット部とは反対方向へ移動させる。そうすることで、泡立て部に付着したきめ細やかな泡は、握った手が移動することでしぼり取られるようにして、握って移動する手に移る。泡立て部を移動する手は握り太さの変化が少ないので、強く握ったままの状態で泡立て部を最初から最後まで移動することができる。従って、本発明の泡立てネットから、泡立てた泡をしっかりとしぼり取ることができる。
【０００８】
前記ポケット部には、前記泡立て部が延設された前記開口の縁部の残余に折り返しによる挿入部が設けられていると、ポケット部の収納空間に収納した石鹸は挿入部の折り返しにより外へ出にくくなるので、泡をしぼり取るときにポケット部からしぼり取っても石鹸が飛び出しにくい。
【０００９】
前記ポケット部の端部には、吊り下げ部が設けられていると、本発明の泡立てネットを使用しないときには吊り下げた状態で保管することができる。
【００１０】
本発明の泡立てネットの製造方法は、長尺状のネットシート材の一端を一面側に折り返し、前記ネットシート材の他端を、少なくとも一面側での折り返しと重なりができるまで他面側に折り返し、前記一面側での折り返し部分と前記一面側での折り返しと重なる前記他面側での折り返し部分とを溶着し、前記一面側での折り返し部分を表裏反転させることを特徴とする。
【００１１】
まず、長尺状のネットシート材の一端を一面側に折り返すことでポケット部となる部分を形成する。次に、前記ネットシート材の他端を、少なくとも一面側での折り返しと重なりができるまで他面側に折り返すことで泡立て部となる部分を形成する。次に、一面側での折り返し部分と前記一面側での折り返しと重なる前記他面側での折り返し部分とを溶着する。そして、一面側での折り返し部分を表裏反転させることで、本発明の泡立てネットを製造することができる。
【発明の効果】
【００１２】
本発明は、強く握ったままの状態で泡立て部を最初から最後まで移動することができることで、泡立てた泡をしっかりとしぼり取ることができるので、きめ細やかな泡を泡立てることができ、泡立てた泡のしぼり取りが容易である。よって、本発明は、使い勝手がよいものとすることができる。
【図面の簡単な説明】
【００１３】
【図１】本発明の実施の形態に係る泡立てネットの斜視図である。
【図２】図１に示す泡立てネットに石鹸を収納した状態の断面図である。
【図３】（Ａ）〜（Ｃ）は、図１に示す泡立てネットの製造方法を説明するための図である。
【図４】（Ａ）〜（Ｃ）は、図３から引き続いて行われる泡立てネットの製造方法を説明するための図である。
【図５】図１に示す泡立てネットの泡立て部を折り曲げた状態の断面図である。
【図６】図１に示す泡立てネットの使用状態を説明するための斜視図である。
【発明を実施するための形態】
【００１４】
本発明の実施の形態に係る泡立てネットについて、図面に基づいて説明する。
図１および図２に示す泡立てネット１は、長尺状の多層ネットによるネットシート材により略三角形状に形成され、石鹸Ｓを泡立てて、顔や体を洗う際に使用するものである。
【００１５】
泡立てネット１は、ポケット部２と、泡立て部３と、吊り下げ部４とを備えている。
ポケット部２には、内部に石鹸Ｓを入れるための収納空間２ａが設けられている。ポケット部２には、開口の縁部に折り返しによる挿入部２ｂが設けられている。
泡立て部３は、ポケット２の開口の縁部の位置に、挿入部２ｂの残余が矩形状に延設されて形成されている。吊り下げ部４は、ポケット部２の一端側に設けられたリング状の紐体（リング紐）である。
【００１６】
ここで、本発明の実施の形態に係る泡立てネット１の製造方法について、図面に基づいて説明する。
図３（Ａ）に示すように、まず、長尺状のネットシート材１０を準備する。このネットシート材１０は、円筒状のネット材をシート状とすることで二重ネットとしたものである。
【００１７】
まず、このネットシート材１０の一端Ｔ１を一面Ｓ１側に折り返して、第１の折り返し部１１を形成する（図３（Ｂ）参照）。この第１の折り返し部１１がポケット部２となる。第１の折り返し部１１の折り返し量は、吊り下げ部４の取り付けと、石鹸Ｓの収納と、挿入部２ｂを形成するための長さとを考慮して決定することができる（図２参照）。
【００１８】
次に、折り返した一端Ｔ１を、更に他面Ｓ２側に折り返して第２の折り返し部１２を形成する（図３（Ｃ）参照）。この第２の折り返し部１２の折り返し量は、挿入部２ｂとなったときに収納された石鹸Ｓに先端が到達する程度が望ましい（図２参照）。
【００１９】
次に、ネットシート材１０の他端Ｔ２を他面Ｓ２側に折り返して第３の折り返し部１３を形成する。このとき、第１の折り返し部１１を形成することでできた新たな端部Ｔ３まで、他端Ｔ２を折り返す（図４（Ａ）参照）。
【００２０】
次に、長手方向に沿った両側端部Ｔ４であって、第２の折り返し部１２を含む第１の折り返し部１１と、第３の折り返し部１３とが重なった両側端部Ｔ４を溶着する（図４（Ｂ）参照）。
【００２１】
次に、吊り下げ部４となるリング紐４ａを第１の折り曲げ部１１の奥部である端部Ｔ３に配置して、ネットシート材１０の端部Ｔ３の上から緊縛紐４ｂによりリング紐４ａの端部と共に縛ることで、リング紐４ａを固定する（図４（Ｃ））。
そして、第１の折り返し部１１を表裏反転させることで、泡立てネット１とすることができる（図１参照）。
【００２２】
次に、本発明の実施の形態に係る泡立てネットの使用状態を、図面に基づいて説明する。
まず、ポケット部２の開口から石鹸Ｓを入れ収納空間２ａに位置させる。次に、図５に示すように泡立て部３を、ポケット部２の開口を塞ぐように石鹸Ｓ側に折り曲げて、ポケット部２に擦りつける。二重ネットで形成された泡立てネット１は、ポケット部２が片面が２枚の重なりであり、泡立て部３が４枚の重なりとなっているので、ポケット部２の一面側に泡立て部３を擦りつければ、合計６枚のネットが石鹸Ｓと擦り合うことになる。従って、よりきめ細やかな泡立ちとなる。
【００２３】
また、泡立て部３を折り曲げなくても、ポケット部２を擦ることで十分な泡立ちを得ることができる。ポケット部２を擦り合わせても、ポケット部２の開口には、折り返しにより挿入部２ｂが設けられているので、ポケット部２の収納空間２ａに収納した石鹸Ｓはこの挿入部２ｂの折り返しにより移動が規制されるので外へ出にくい。
【００２４】
そして泡を取るときには、図６に示すように泡立て部３を伸ばした状態で、石鹸を収納したポケット部２を片手で持ち、泡立て部３を握ってポケット部２とは反対方向へ移動させる。そうすることで、泡立て部３に付着したきめ細やかな泡は、握った手が移動することでしぼり取られるようにして、握って移動する手に移る。泡立て部３を移動する手は握り太さの変化が少ないので、強く握ったままの状態で泡立て部３を最初から最後まで移動することができる。従って、泡立てネット１から、泡立てた泡を、しっかりとしぼり取ることができる。また、このときの握った手の移動により石鹸Ｓが開口方向へ移動しようとしても、挿入部２ｂにより抑止される。
【００２５】
なお、本実施の形態に係る泡立てネット１では、第３の折り返し部１３を、第１の折り返し部１１を形成することでできた新たな端部Ｔ３まで折り返して形成しているが、少なくとも一面Ｓ１側での折り返しと重なりができるまで折り返すようにしてもよい。しかし、第３の折り返し部１３と第１の折り返し部１１との重なりが大きくなるとポケット部２を形成する石鹸Ｓを包囲するネットの重なり枚数が増え、より一層泡立ちを大きくすることができるので、第３の折り返し部１３は端部Ｔ３まで折り返すのが望ましい。
【００２６】
また、泡立てネット１には吊り下げ部４が設けられているが、保管に吊り下げる必要がなれければ、吊り下げ部４は省略することが可能である。そうすることで、吊り下げ部４を形成する紐体の準備と、紐体を緊縛紐により縛る工程とを省略することができる。
また、泡立てネット１には折り返しによる挿入部２ｂが設けられているが、挿入部２ｂは省略することができる。しかし、ポケット部２の開口にネットシート材１０の端部が位置してしまうと、ほつれや裂けが発生しやすくなるので、この点からも挿入部２ｂをポケット部２の開口に設けるのが望ましい。
更に、本実施の形態では、一枚の長尺状のネットシート材１０の一端および他端を折り返すことで泡立てネット１が形成されているため、泡立て部３は、ポケット部２の開口の縁部の半分が延設されたものとなっているが、泡立て部３を折り曲げて充分な泡立ちが確保でき、かつポケット部２への石鹸の出し入れが容易であれば、泡立て部３は、開口の縁部の半分より多く、または半分より少なく、開口の縁部を延設したものでもよい。
【産業上の利用可能性】
【００２７】
本発明は、洗顔や、体の一部分または全身を洗う際に、固形石鹸を中に入れて泡立てる泡立てネットに好適である。
【符号の説明】
【００２８】
１  泡立てネット
２  ポケット部
２ａ  収納空間
２ｂ  挿入部
３  泡立て部
４  吊り下げ部
４ａ  リング紐
４ｂ  緊縛紐
１０  ネットシート材
１１  第１の折り返し部
１２  第２の折り返し部
１３  第３の折り返し部
Ｔ１  一端
Ｔ２  他端
Ｔ３  端部
Ｓ１  一面
Ｓ２  他面
Ｓ  石鹸
【図１】
2011019840.tif 000003
【図２】
2011019840.tif 000004
【図３】
2011019840.tif 000005
【図４】
2011019840.tif 000006
【図５】
2011019840.tif 000007
【図６】
2011019840.tif 000008